(57)【特許請求の範囲】
【請求項１】
底板と蓋板とが連結板を介して連設されるとともに、これら各板同士の境界にはそれぞれ折り目が形成され、前記底板と蓋板の各自由端には相互に係合しあう係合板がそれぞれ折り目を介して連設され、前記底板の両側縁にはそれぞれ側壁板が折り目を介して連設され、前記蓋板の両側縁にはそれぞれ覆板が折り目を介して連設されてなる包装容器において、
前記連結板の反対側が開放自在とされ、
前記底板の両側縁上の対向する２点から両側壁板の自由端縁にわたって両側壁板にミシン目がそれぞれ形成され、上記２点を結ぶ直線に沿って底板の先端側が外側に反転若しくは切除可能とされるとともに、前記蓋板の両側縁上の対向する２点から両覆板の自由端縁にわたって両覆板にミシン目がそれぞれ形成され、上記２点を結ぶ直線に沿って蓋板の先端側が外側に反転若しくは切除可能とされることを特徴とする包装容器。
【請求項２】
底板と蓋板とが連結板を介して連設されるとともに、これら各板同士の境界にはそれぞれ折り目が形成され、前記底板と蓋板の各自由端には相互に係合しあう係合板がそれぞれ折り目を介して連設され、前記底板の両側縁にはそれぞれ側壁板が折り目を介して連設され、前記蓋板の両側縁にはそれぞれ覆板が折り目を介して連設されてなる包装容器において、
前記連結板の反対側が開放自在とされ、
前記底板のいずれか一つの対角線の起点及び終点から両側壁板とこれら側壁板と連なる他の板との境界部分にミシン目が形成され、上記対角線に沿って底板の先端側が外側に反転若しくは切除可能とされるとともに、前記蓋板の上記底板の対角線に対応する対角線の起点及び終点から両覆板とこれら覆板と連なる他の板との境界部分にミシン目が形成され、上記対角線に沿って蓋板の先端側が外側に反転若しくは切除可能とされることを特徴とする包装容器。
【請求項３】
前記各ミシン目は、貫通状態又は未貫通状態とされたことを特徴とする請求項１又は２に記載の包装容器。
【請求項４】
前記各係合板に指挿通孔がそれぞれ形成されることを特徴とする請求項１に記載の包装容器。
【請求項５】
前記各係合板、側壁板又は覆板の少なくとも一つに指挿通孔が形成されることを特徴とする請求項２に記載の包装容器。
【請求項６】
前記底板及び蓋板の先端側が外側に反転された状態を保持するための形状保持手段が設けられることを特徴とする請求項１ないし５のいずれか１項に記載の包装容器。
【発明の詳細な説明】
【０００１】
【発明の属する技術分野】
本発明は、包装容器に関する。特に、ファーストフード店において提供されるハンバーガーを収納するのに適した包装容器に関する。
【０００２】
【従来の技術】
ファーストフード店において提供されるハンバーガーを収納する包装容器としては、収納部と蓋とがヒンジで連結された発泡合成樹脂製のものや紙製のものが使用されている。
【０００３】
上記した紙製の包装容器は、例えば図８に表示したものが用いられている。この包装容器は、底板２と蓋板３とが連結板４を介して連設されるとともに、これら各板同士の境界にはそれぞれ折り目が形成され、底板２と蓋板３の各自由端には相互に係合しあう係合板５，６がそれぞれ折り目を介して連設され、底板２の両側縁にはそれぞれ側壁板７，８が折り目を介して連設され、蓋板３の両側縁にはそれぞれ覆板９，１０が折り目を介して連設されてなっており、全体として箱状に組まれている。
【０００４】
【発明が解決しようとする課題】
上記した包装容器に収納したハンバーガーを食べるときは、係合板５，６の係合を解除して包装容器を開蓋し、ハンバーガーを取り出す必要がある。また、手でハンバーガーを掴んで取り出さなければならないので、手が汚れていると不衛生である。
【０００５】
また、包装容器から取り出したハンバーガーを食べる際には、大きな口を開ける必要がある。このため、特に女性においては、手で口もとを隠しながら食べることが多い。
【０００６】
本発明はこうした問題点を解決するためになされたもので、収納したハンバーガーを取り出さずに食べることが可能な包装容器を提供することを目的とする。
【０００７】
【課題を解決するための手段】
上記の目的を達成するため本発明は、底板と蓋板とが連結板を介して連設されるとともに、これら各板同士の境界にはそれぞれ折り目が形成され、前記底板と蓋板の各自由端には相互に係合しあう係合板がそれぞれ折り目を介して連設され、前記底板の両側縁にはそれぞれ側壁板が折り目を介して連設され、前記蓋板の両側縁にはそれぞれ覆板が折り目を介して連設されてなる包装容器において、前記連結板の反対側が開放自在とされ、前記底板の両側縁上の対向する２点から両側壁板の自由端縁にわたって両側壁板にミシン目がそれぞれ形成され、上記２点を結ぶ直線に沿って底板の先端側が外側に反転若しくは切除可能とされるとともに、前記蓋板の両側縁上の対向する２点から両覆板の自由端縁にわたって両覆板にミシン目がそれぞれ形成され、上記２点を結ぶ直線に沿って蓋板の先端側が外側に反転若しくは切除可能とされることを特徴とする。
【００１０】
この発明によれば、ミシン目を切開するとともにミシン目の基端部から底板及び蓋板の先端側を外側に反転若しくは切除し、包装容器内の収納物に直接手を触れなくても収納物を包装容器から露出させることができる。
【００１１】
本発明は、底板と蓋板とが連結板を介して連設されるとともに、これら各板同士の境界にはそれぞれ折り目が形成され、前記底板と蓋板の各自由端には相互に係合しあう係合板がそれぞれ折り目を介して連設され、前記底板の両側縁にはそれぞれ側壁板が折り目を介して連設され、前記蓋板の両側縁にはそれぞれ覆板が折り目を介して連設されてなる包装容器において、前記連結板の反対側が開放自在とされ、前記底板のいずれか一つの対角線の起点及び終点から両側壁板とこれら側壁板と連なる他の板との境界部分にミシン目が形成され、上記対角線に沿って底板の先端側が外側に反転若しくは切除可能とされるとともに、前記蓋板の上記底板の対角線に対応する対角線の起点及び終点から両覆板とこれら覆板と連なる他の板との境界部分にミシン目が形成され、上記対角線に沿って蓋板の先端側が外側に反転若しくは切除可能とされることを特徴とする。
【００１２】
この発明によれば、ミシン目を切開するとともに底板及び蓋板の対角線に沿って底板及び蓋板の先端側を外側に反転若しくは切除し、包装容器内の収納物に直接手を触れなくても収納物を包装容器から露出させることができる。
【００１３】
前記各ミシン目は、貫通状態又は未貫通状態のいずれであってもよく、未貫通状態とした場合は、ミシン目から微細な塵や埃が容器内に侵入するのを防ぐことができる。
【００１４】
本発明は、前記各係合板に指挿通孔がそれぞれ形成されることを特徴とする。
【００１５】
この発明によれば、指挿通孔に指を挿通して、外側に反転された底板及び蓋板の先端側を押止することができる。
【００１６】
本発明は、前記各係合板、側壁板又は覆板の少なくとも一つに指挿通孔が形成されることを特徴とする。
【００１７】
この発明によれば、指挿通孔に指を挿通して、外側に反転された底板及び蓋板の先端側を押止することができる。
【００１８】
本発明は、前記底板及び蓋板の先端側が外側に反転された状態を保持するための形状保持手段が設けられることを特徴とする。
【００１９】
この発明によれば、形状保持手段により、底板及び蓋板の先端側を外側に反転した状態を保持することができる。
【００２０】
【発明の実施の形態】
以下、本発明の第１の実施の形態について図を参照して説明する。
【００２１】
図１は、本実施の形態の一例を示す包装容器の展開図、図２は、閉蓋状態の包装容器の斜視図、図３及び図４は、本実施の形態に係る包装容器の使用例を示す図である。
【００２２】
本実施の形態に係る包装容器１は、底板２、蓋板３、連結板４、一対の係合板５，６、一対の側壁板７，８及び一対の覆板９，１０から構成されている。なお、包装容器１の底面、上面及び側面の構成は、図８の従来例と同様であるので、同じ符号を付している。以下、順次上記の各構成部分について説明する。
【００２３】
底板２と蓋板３とは略同形状であり、通常、正方形或いは長方形とされるが、両者は相互に略同形状であれば、正方形或いは長方形に限定されるものではなく、例えば台形や多角形等であっても良い。
【００２４】
このようになる底板２と蓋板３とは、連結板４を介して一列に連設されるとともに、これら各板２，３，４同士の境界にはそれぞれ折り目ａ，ｂが形成されている。
【００２５】
また、底板２と蓋板３の各自由端（それぞれ連結板４の反対側の端）には相互に係合し合う係合板５，６がそれぞれ折り目ｃ，ｄを介して連設されている。
【００２６】
底板２の両側縁には、それぞれ側壁板７，８が折り目ｅ，ｆを介して連設され、蓋板３の両側縁には、それぞれ覆板９，１０が折り目ｇ，ｈを介して連設されている。
【００２７】
連結板４、係合板５及び覆板９，１０には、それぞれ貼着片１１，１２，１３，１４，１５，１６，１７，１８がそれぞれ折り目ｉ，ｊ，ｋ，ｌ，ｍ，ｎ，ｏ，ｐを介して連設されており、これら貼着片を側壁板７，８、覆板９，１０、係合板６にそれぞれ貼着することにより、包装容器１を箱状に組み立てることができるように図られている。
【００２８】
係合板６の自由端の両側端には、切欠部６０と係止爪６１とが形成されている。また、側壁板７，８の端縁には、引掛け爪７１，８１が形成されており、この引掛け爪７１，８１が切欠部６０に挿入され且つ係止爪６１と係合することにより係合板５，６同士が相互に係合するように図られている。
【００２９】
側壁板７，８には、その端縁から底板２の端縁にわたってそれぞれミシン目７ａ，８ａが形成されており、ミシン目７ａ，８ａを切開して側壁板７，８に切り込みが形成されるように図られている。このミシン目７ａ，８ａが形成されるのは、側壁板７，８の略中央部が望ましいが、略中央部に限られるものではない。
【００３０】
また、底板２上において、ミシン目７ａの基端部７ｂとミシン目８ａの基端部８ｂを結ぶ直線には、線条２ａが刻設されており、この線条２ａに沿って、底板２の先端側２０が外側に反転可能となされている。
【００３１】
覆板９，１０には、その端縁から底板２の端縁にわたってそれぞれミシン目９ａ，１０ａが形成されており、ミシン目９ａ，１０ａを切開して覆板９，１０に切り込みが形成されるように図られている。このミシン目９ａ，１０ａが形成されるのは、側壁板７，８に形成されたミシン目７ａ，８ａに対応していることが望ましい。
【００３２】
ここで、各ミシン目７ａ，８ａ，９ａ，１０ａは、各側壁板７，８及び覆板９，１０を貫通しないように形成するのが望ましい。ミシン目７ａ，８ａ，９ａ，１０ａから微細な塵や埃が侵入するのを防止することができるからである。
【００３３】
また、蓋板３上において、ミシン目９ａの基端部９ｂとミシン目１０ａの基端部１０ｂを結ぶ直線には、線条３ａが刻設されており、この線条３ａに沿って、蓋板３の先端側３０が外側に反転可能となされている。
【００３４】
なお、上記した線条２ａ，３ａを刻設するのは任意であって、線条２ａ，３ａを刻設しない場合であっても、ミシン目７ａ，８ａ，９ａ，１０ａを切開した際にミシン目７ａ，８ａの基端部７ｂ，８ｂ及び９ａ，１０ａの基端部９ｂ，１０ｂ同士を結ぶ直線に沿って底板２及び蓋板３の先端側２０，３０を外側に反転させるのは可能である。また、上記線条２ａ，３ａの代わりに、ミシン目を形成して、２ａ，３ａに沿って底板２及び蓋板３の先端側２０，３０を切り取ることができるようにしても良い。
【００３５】
係合板５の底板２側の端縁（折り目ｃ）から中央部に向かってミシン目５ａが形成されており、このミシン目５ａを切開してこの切開した断片を折り込むと指挿通孔５００が形成されるように図られている。また、係合板６の蓋板３側の端縁（折り目ｄ）から中央部に向かってミシン目６ａが形成されており、このミシン目６ａを切開してこの切開した断片を折り込むと指挿通孔６００が形成されるように図られている。これらの指挿通孔５００，６００は、使用者が指を挿通して包装容器１を持つことができるようにするためのものである。指挿通孔５００，６００は、指１本が余裕をもって挿通できる大きさであって、略円形状に形成されているが、係る大きさに限定されるものではなく、形状も円形に限らず、楕円形、長孔、四角形、半円形であっても良い。また、指挿通孔５００，６００は、複数個形成されていても良く、この場合使用者は、任意の指挿通孔５００，６００に指を挿通して包装容器１を持つことができる。また、例えば、指挿通孔５００，６００ともに２個ずつと対称であっても良く、或いは指挿通孔５００が２個で、指挿通孔６００が１個というように非対称であっても良い。さらに、本実施の形態においては、指挿通孔５００，６００の一端は、底板２及び蓋板３の端縁と一致しているが、指挿通孔５００，６００は底板２及び蓋板３の端縁から離隔し、指挿通孔５００，６００の周縁全体にミシン目５ａ，６ａが形成されていても良い。なお、これらのミシン目５ａ，６ａも、各係合板５，６を貫通しないように形成するのが望ましいのは、上記したミシン目７ａ，８ａ，９ａ，１０a の場合と同様である。
【００３６】
また、ミシン目５ａ，６ａを切開した断片を、例えば対応する底板２及び蓋板３に設けた差込口（図示省略）に差し込むことにより、底板２及び蓋板３の先端側２０，３０を外側に反転させた状態を保持する形状保持手段としても良い。かかる形状保持手段は、上記したものに限られず、例えば、側壁板７，８及び覆板９，１０に引掛けるための爪とこの爪を係止するための切り込みを設けることによっても良く、又は、底板２、及び蓋板３に剥離紙を貼った粘着テープを取り付けて、底板２及び蓋板３の先端側２０，３０を外側に反転させた後に剥離紙を剥がして底板２同士、蓋板３同士を粘着させるようにしても良い。
【００３７】
次に上記構成の包装容器１に収納したハンバーガーを購入した顧客が、ハンバーガーを食べる手順について説明する。
【００３８】
まず、顧客は、包装容器１の係合板５，６の係合を解除するとともに、側壁板７，８及び覆板９，１０に形成されたミシン目７ａ，８ａ及び９ａ，１０ａを切開する。
【００３９】
次に、底板２及び蓋板３の先端側２０，３０をミシン目の基端部７ｂ，８ｂ及び９ｂ，１０ｂ同士を結ぶ直線（線条２ａ，３ａ）に沿って外側に反転させる（図３参照）。
【００４０】
続いて、係合板５，６に形成されたミシン目５ａ，６ａを切開して指挿通孔５００，６００を開ける。指挿通孔５００，６００に指をそれぞれ差し込んで底板２及び蓋板３を押えながら（図４（ａ）参照）、底板２と蓋板３との間に挟んだハンバーガーを食べる。顧客は、ハンバーガーに直接手を触れることなく食べることができる。また、折り返された係合板５，６によって大きく開けた顧客の口元を隠すことができるので、顧客は口元をわざわざ手で隠す必要がなくなる。
【００４１】
なお、ハンバーガーを食べ残し、残りを後で食べる場合、反転させた底板２及び蓋板３を元に戻し包装容器１を初期状態にすると、食べ残しのハンバーガーを包装容器１の中に収納しておくことができる。したがって、食べ残しのハンバーガーの形崩れや埃の付着等を防止することができ、衛生的に良好な状態で保存することができる。
【００４２】
また、底板２に形成された線条２ａ及び蓋板３に形成された線条３ａをミシン目として、底板２と蓋板３の先端側２０，３０を切り取った場合は、図４（ｂ）に示すように底板２と蓋板３の間にハンバーガーを挟んで簡単に食べることができる。
【００４３】
次に、本発明の第２の実施の形態について図５乃至図７を参照しながら説明する。図５は、本実施の形態の包装容器１の展開図、図６は、この包装容器１を示す斜視図、図７は、この包装容器１の使用状態を示す図である。
【００４４】
本実施の形態は、底板２のいずれか一つの対角線の起点及び終点から両側壁板７，８とこれら側壁板７，８と連なる他の板との境界部分にミシン目７ａ，８ａが形成され、上記対角線に沿って底板２の先端側２０が外側に反転若しくは切除可能とされるとともに、蓋板３の底板２の対角線に対応する対角線の起点及び終点から両覆板９，１０とこれら覆板９，１０と連なる他の板との境界部分にミシン目９ａ，１０ａが形成され、上記対角線に沿って蓋板３の先端側３０が外側に反転若しくは切除可能とされるものである。なお、ここで境界部分とは、側壁板７，８、覆板９，１０と連なる他の板との境界線及び連設する他の板の境界線の近傍を含むものをいう。
【００４５】
この実施の形態における包装容器１は、第１の実施の形態で説明した包装容器１とミシン目７ａ，８ａ，９ａ，１０ａの形成される位置において大きく相違し、この相違に伴い底板２と蓋板３の反転される形状等が異なるのみであって、その他の構成は、上記した例の包装容器１と同様である。したがって、ここでは相違点のみ説明する。なお、上記した例の包装容器１のものと同一の構成部材、部位、要素には同一符号を付している。
【００４６】
この例において、側壁板７と貼着片１５との境界線及び側壁板８と貼着片１２との境界線に沿ってそれぞれミシン目７ａ，８ａが形成され、ミシン目７ａ，８ａの基端部７ｂ，８ｂを結ぶ直線（底板２の一方の対角線）に沿って底板２の先端側２０が外側に反転可能とされている。また、覆板９と貼着片１７との境界線及び覆板１０と貼着片１４との境界線に沿って、ミシン目９ａ，１０ａがそれぞれ形成され、ミシン目９ａ，１０ａの基端部９ｂ，１０ｂを結ぶ直線（蓋板３の一方の対角線）に沿って蓋板３の先端側３０が外側に反転可能とされている。なお、上記したミシン目が形成される位置は一例であって、上記した例における底板２及び蓋板３の他方の対角線に沿って底板２及び蓋板３の先端側２０，３０が外側に反転されるようにミシン目７ａ，８ａ，９ａ，１０ａが形成されていても良い。
【００４７】
また、底板２及び蓋板３上において、ミシン目７ａ，８ａの基端部７ｂ，８ｂとミシン目９ａ，１０ａの基端部９ｂ，１０ｂを結ぶ直線には、線条２ａ，３ａが刻設されており、この線条２ａ，３ａに沿って、底板２及び蓋板３の先端側２０，３０が反転可能となされている点、及び線条２ａ，３ａの代わりにミシン目２ｂ，３ｂを形成して切り取るようにしても良い点については、第１の実施の形態の場合と同じであるが、本実施の形態では、指挿通孔５００，６００の位置が第１の実施の形態と異なっている。図示は省略しているが、本実施の形態では、指挿通孔は、各係合板５，６、側壁板７，８又は覆板９，１０の少なくとも一つに形成されていれば良い。
【００４８】
なお、覆板９と貼着片１７との境界線に沿って形成されたミシン目９ａを切開せずに、この覆板９と連設する係合板６の一部をサイドロック部６０ｂとして残し、係止爪６１と側壁板７の引掛け爪７１と係合することにより、側壁板７と覆板９とを係止する係止手段として機能するようにしても良い。この場合、係合板６に係止爪６１を囲んでミシン目６０ａを形成してこのミシン目６０ａに沿って係合板６を切開し、サイドロック部６０ｂが覆板９に連続するようになされている（図６参照）。このミシン目６０ａも、係合板６を貫通しないように形成するのが望ましい。また、ミシン目６０ａを形成することなく、貼着片１７を部分的に係合板６に接着し、手で容易に剥がすことができるようにしても良い。この場合には、貼着片１７がサイドロック部６０ｂとして機能することになる。７（ａ），（ｂ）にサイドロック部６０ｂの係合状態を示している。ここで、図７（ｂ）は（ａ）においてＡ方向から包装容器１の内部を見た状態を示す図である。このサイドロック部６０ｂを使用する場合には、ミシン目９ａを必ずしも形成しなくても良い。
【００４９】
次に上記構成の包装容器１に収納したハンバーガーを購入した顧客が、ハンバーガーを食べる手順について説明する。なお、この手順においては、底板及び蓋板にミシン目２ｂ，３ｂを形成した場合を例にとって説明する。
【００５０】
まず、顧客は、包装容器１の係合板５，６の係合を解除するとともに、ミシン目７ａ，８ａ，９ａ，１０ａを切開する。
【００５１】
次に、ミシン目２ｂ，３ｂを切開し、底板２及び蓋板３の先端側２０，３０を切り取る。
【００５２】
続いて、底板２及び蓋板３を押えながら、底板２と蓋板３との間に挟んだハンバーガーを食べる（図７（ａ）参照）。顧客はハンバーガーに直接手を触れることなく、食べることができる。
【００５３】
なお、サイドロック部６０ｂを使用するときは、ミシン目９ａを切開する代わりに係合板６に形成されたミシン目６０ａを切開する。次いで、６０ｂの係止爪６１と側壁板７の引掛け爪７１とを係合する。
【００５４】
【発明の効果】
以上に説明したとおり、本発明の包装容器は、底板と蓋板の先端側を外側に反転若しくは切除可能とし、連結板の反対側を開放自在としているので、底板と蓋板の先端側を反転若しくは切除して、包装容器内の収納物に直接手を触れなくても収納物を包装容器から露出させることができる。したがって、収納物を包装容器から取り出さなくても収納物に触れることができる。このため、例えば、包装容器にハンバーガーを収納した場合、手が汚れていても、衛生上の問題なくハンバーガーを食べることができる。また、ハンバーガーの具やパン屑が零れても包装容器内に落ちるので、周囲を汚すことがなくなる。さらに、外側に反転させた底板及び蓋板に連なる板によって口元を隠すことができるので、手で口元を隠す必要がなくなり、両手を使って食べることができ、食べ易い。また、底板と蓋板の先端側を切除した場合は、残った底板と蓋板の間にのみ収納物を挟むことができる。
【００５５】
また、本発明は、底板の両側縁上の対向する２点から両側壁板の自由端縁にわたって両側壁板にミシン目を形成し、上記２点を結ぶ直線に沿って底板の先端側を外側に反転若しくは切除可能とするとともに、蓋板の両側縁上の対向する２点から両覆板の自由端縁にわたって両覆板にミシン目をそれぞれ形成し、上記２点を結ぶ直線に沿って蓋板の先端側を外側に反転若しくは切除可能としているので、ミシン目を切開するとともにミシン目の基端部から底板及び蓋板の先端側を外側に反転若しくは切除し、包装容器内の収納物に直接手を触れなくても収納物を包装容器から露出させることができる。
【００５６】
また、本発明は、底板のいずれか一つの対角線の起点及び終点から両側壁板とこれら側壁板と連なる他の板との境界部分にミシン目を形成し、上記対角線に沿って底板の先端側を外側に反転若しくは切除可能とするとともに、前記蓋板の上記底板の対角線に対応する対角線の起点及び終点から両覆板とこれら覆板と連なる他の板との境界部分にミシン目を形成し、上記対角線に沿って蓋板の先端側を外側に反転若しくは切除可能としているので、ミシン目を切開するとともに底板及び蓋板の対角線に沿って底板及び蓋板の先端側を外側に反転若しくは切除し、包装容器内の収納物に直接手を触れなくても収納物を包装容器から露出させることができる。
【００５７】
また、前記各ミシン目は、貫通状態又は未貫通状態のいずれであってもよく、未貫通状態とした場合は、ミシン目から微罪な塵や埃が容器内に侵入するのを防ぐことができるので、衛生的である。
【００５８】
また、本発明は、各係合板、若しくは各係合板、側壁板又は覆板の少なくとも一つに指挿通孔をそれぞれ形成するので、指挿通孔に指を挿通して、外側に反転された底板及び蓋板の先端側を押止することができる。したがって、反転させた底板及び蓋板の先端側がバタつくことが防止される。
【００５９】
また、本発明は、底板及び蓋板の先端側が外側に反転された状態を保持するための形状保持手段を設けているので、形状保持手段により、底板及び蓋板の先端側を外側に反転した状態を保持することができる。したがって、手で押えたりしなくても外側に反転させた底板及び蓋板の先端側がバタつくことが防止される。
【００６０】
以上より、手で直接ハンバーガーに触れることなく食べることができるので、衛生的である。
【図面の簡単な説明】
【図１】本発明の実施の形態の一例を示す包装容器の展開図である。
【図２】閉蓋状態の一例を示す包装容器の斜視図である。
【図３】本実施の形態の使用状態を示す図である。
【図４】本実施の形態の使用状態を示す図である。
【図５】本発明の実施の形態の他の例を示す包装容器の展開図である。
【図６】図５に示す包装容器の斜視図である。
【図７】図５に示す包装容器の使用状態を示す図である。
【図８】従来の包装容器を示す斜視図である。
【符号の説明】
１  包装容器
２  底板
３  蓋板
４  連結板
５，６  係合板
７，８  側壁板
９，１０覆板
７ａ，８ａ，９ａ，１０ａ  ミシン目
５００，６００  指挿通孔
【図１】
0004724328.tif 000002
【図２】
0004724328.tif 000003
【図３】
0004724328.tif 000004
【図４】
0004724328.tif 000005
【図５】
0004724328.tif 000006
【図６】
0004724328.tif 000007
【図７】
0004724328.tif 000008
【図８】
0004724328.tif 000009